(57)【要約】【課題】特に軽量物排出部内の中間重量物の滞留を防止することで、選別処理能力の低下を防止することができる風力選別機を提供する。【解決手段】風力により混合廃棄物を選別する風力選別機において、本体フレーム５と、この本体フレーム５に回転自在に支持された本体回転ドラム１と、この本体回転ドラム１内に設けた複数の掻き上げ板２４と、本体回転ドラム１の長手方向一方側端部に接続するように本体フレーム５に設けられ、本体回転ドラム１に投入された混合廃棄物に空気流を吹き付けるブロワ３と、本体回転ドラム１の長手方向他方側端部に接続するように本体フレーム５に設けられ、ブロワ３からの空気流に乗った混合廃棄物中の軽量物を排出する排出ダクト２７と、この排出ダクト２７内に滞留する混合廃棄物中の中間重量物を掻き取るスクレーパ装置４０とを備える。【選択図】  図１
2004314019.tif 000002
【特許請求の範囲】
【請求項１】
風力により混合物を選別する風力選別機において、
本体フレームと、
この本体フレームに回転自在に支持された筒状部材と、
この筒状部材内に設けた複数の掻き上げ手段と、
前記筒状部材の長手方向一方側端部に接続するように前記本体フレームに設けられ、前記筒状部材に投入された混合物に空気流を吹き付ける送風機と、
前記筒状部材の長手方向他方側端部に接続するように前記本体フレームに設けられ、前記送風機からの空気流に乗った混合物中の軽量物を排出する軽量物排出用ダクトと、
この軽量物排出用ダクト内に滞留する混合物中の中間重量物を掻き取る掻き取り部材と
を備えたことを特徴とする風力選別機。
【請求項２】
請求項１記載の風力選別機において、前記掻き取り部材は前記筒状部材の長手方向他方端に固設され、前記筒状部材の回転に伴って回転することで前記軽量物排出用ダクトの内周面に滞留する混合物中の中間重量物を掻き取ることを特徴とする風力選別機。
【請求項３】
請求項１記載の風力選別機において、前記掻き取り部材を前記軽量物排出用ダクトの円周方向に回転駆動する駆動手段をさらに備えたことを特徴とする風力選別機。
【請求項４】
請求項１乃至３のうちいずれか１項記載の風力選別機において、前記筒状部材の内部にその長手方向複数段に混合物を捕捉する捕捉手段を設けたことを特徴とする風力選別機。
【請求項５】
請求項１乃至４のうちいずれか１項記載の風力選別機において、前記本体フレームは前記送風機側が低くなるように傾倒可能に支持されていることを特徴とする風力選別機。
【発明の詳細な説明】
【０００１】
【発明の属する技術分野】
本発明は、混合物中に含まれる様々な物を、風力を用いてその重量に応じて選別する風力選別機に関するものである。
【０００２】
【従来の技術】
一般に、産業廃棄物は事業活動に伴って生じることから特別な性状のものが大量に発生する場合が多く、例えば建築物の解体現場では、石、コンクリート塊、木材片、ガラス片、壁土、新建材、金具等が細かいばらものとなった解体屑又はミンチと称するそれらの混合物が粗大廃棄物と混在した混合廃棄物が発生する。この混合廃棄物中には、上記以外にも、廃プラスチック類、ゴムくず、がれき類等が含まれる場合も多い。
【０００３】
昨今、建設副産物の再利用の気運の高まりから、分別解体の推奨や分別搬出の義務付けがなされようとしている。このような背景から、上記のような混合廃棄物の分別を行うために、風力を用いて廃棄物の選別を行う風力選別機が従来より知られている（例えば、特許文献１参照。）。この従来の技術では、回転ドラムへ投入された混合廃棄物に空気供給管で選別用の空気流を衝突させ、混合廃棄物中の軽量物は空気流に乗せて排出口側に設けたカバーから排出し、重量物は回転ドラム内周面に設けた掻き上げ板によって空気流とは逆方向に搬送し排出するようになっている。
【０００４】
【特許文献１】
特開平６−２３３２５号公報
【０００５】
【発明が解決しようとする課題】
しかしながら、混合廃棄物中には、例えば石、がれき等の重量物にビニールシート、又は紐状若しくはフィルム状の軽量物が強固に絡み合って形成された塊等が含まれる場合があり、このような場合には空気流だけで塊をほぐすことができず、上記従来の技術では軽量物を重量物から選別できない恐れがあった。
【０００６】
そこで、本願発明者等は、筒状部材（回転ドラム）内に混合物を一旦捕捉する捕捉手段及びこの捕捉手段で捕捉した混合物を筒状部材の回転に伴って掻き上げる掻き上げ手段を設けた風力選別機を発明した。この風力選別機は、傾倒可能な本体フレームに回転自在に支持された筒状部材と、本体フレームの長手方向一方側（傾斜方向下側）に設けた送風機と、本体フレームの長手方向他方側（傾斜方向上側）に設けた軽量物排出部とを備えており、筒状部材に投入された混合廃棄物に送風機からの空気流を衝突させ、混合廃棄物中の軽量物を空気流に乗せて軽量物排出部から排出する一方で、風力に打ち勝ち筒状部材内を傾斜方向下側に向かって転がる重量物を、補足手段によって一旦滞留させ、この滞留した重量物を掻き上げ手段によって回転方向に掻き上げて、大きく持ち上げた後に落下させて解きほぐす。これにより、上記したようなビニールシート、又は紐状若しくはフィルム状の軽量物が石、がれき等の重量物に強固に絡み合った塊であっても、その塊を確実に解きほぐし、軽量物を重量物から分離することができる。
【０００７】
そして、本願発明者等のその後の検討によれば、上記発明には以下のような更なる改善の余地があることが分かった。
すなわち、筒状部材内に投入された混合廃棄物中に、空気流による風力と重力による傾斜方向下側への落下力とが釣り合う中間重量物が存在する場合、その中間重量物は筒状部材内及び軽量物排出部内に滞留して空気流の流れを阻害する恐れがある。その場合、軽量物の選別効率が低下し、風力選別機の選別処理能力が低下してしまうという問題を生じる。
【０００８】
本発明は、上記の問題に鑑みてなされたものであり、その目的は、特に軽量物排出部内の中間重量物の滞留を防止することで、選別処理能力の低下を防止することができる風力選別機を提供することにある。
【０００９】
【課題を解決するための手段】
（１）上記目的を達成するために、本発明は、風力により混合物を選別する風力選別機において、本体フレームと、この本体フレームに回転自在に支持された筒状部材と、この筒状部材内に設けた複数の掻き上げ手段と、前記筒状部材の長手方向一方側端部に接続するように前記本体フレームに設けられ、前記筒状部材に投入された混合物に空気流を吹き付ける送風機と、前記筒状部材の長手方向他方側端部に接続するように前記本体フレームに設けられ、前記送風機からの空気流に乗った混合物中の軽量物を排出する軽量物排出用ダクトと、この軽量物排出用ダクト内に滞留する混合物中の中間重量物を掻き取る掻き取り部材とを備えるものとする。
【００１０】
本発明の風力選別機においては、筒状部材に投入され筒状部材内を長手方向一方側へ移動する混合物に対し、送風機で生起した空気流を吹き付ける。これにより、混合物中の軽量物はその空気流に乗って本体フレームの長手方向他方側に設けた軽量物排出用ダクトより排出され、混合物中の重量物は筒状部材内を長手方向一方側に向かって転がって筒状部材より排出される。このようにして、重量物と軽量物とが選別される。
【００１１】
このとき、混合物中に、上記軽量物及び重量物の他に、空気流により作用する風力と筒状部材内を長手方向一方側へ移動しようとする力（例えば筒状部材を傾斜させた場合には重力により作用する傾斜方向下側への落下力）とが釣り合う中間重量物が存在する場合、その中間重量物は筒状部材内及び軽量物排出部内に滞留して空気流の流れを阻害する恐れがある。その場合、軽量物の選別効率が低下し、風力選別機の選別処理能力が低下してしまうという問題を生じる。
【００１２】
これに対し、本発明においては、例えば筒状部材の長手方向他方端に固設され筒状部材の回転に伴って回転駆動する掻き取り部材によって、軽量物排出用ダクトの内周面に付着した中間重量物を掻き取り、その掻き取った中間重量物を回転により掻き上げて攪拌する。これにより、軽量物排出用ダクト内に滞留した中間重量物を空気流に乗せて排出することができる。このようにして、本発明によれば特に軽量物排出用ダクト内の中間重量物の滞留を防止できるので、風力選別機の選別処理能力が低下するのを防止することができる。
【００１３】
（２）上記（１）において、好ましくは、前記掻き取り部材は前記筒状部材の長手方向他方端に固設され、前記筒状部材の回転に伴って回転することで前記軽量物排出用ダクトの内周面に滞留する混合物中の中間重量物を掻き取るものとする。
【００１４】
（３）上記（１）において、また好ましくは、前記掻き取り部材を前記軽量物排出用ダクトの円周方向に回転駆動する駆動手段をさらに備えるものとする。
本発明によれば、掻き取り部材を回転駆動する例えばモータ等の駆動手段を軽量物排出用ダクトの外周面等に設けて掻き取り部材を筒状部材と独立して自動的に回転駆動するようにすることで、例えば掻き取り部材を備えていない既存の風力選別機に掻き取り部材と駆動手段を増設して本発明と同様の効果を得るようにすることが可能となる。
【００１５】
（４）上記（１）乃至（３）のいずれかにおいて、また好ましくは、前記筒状部材の内部にその長手方向複数段に混合物を捕捉する捕捉手段を設けるものとする。
【００１６】
本発明の風力選別機においては、筒状部材内に設けた捕捉手段によって長手方向一方側へ移動する混合物を捕捉し一旦滞留させる。そして、この状態で、筒状部材を回転させると、捕捉手段で捕捉された混合物は掻き上げ手段によってその回転方向に掻き上げられ、大きく持ち上げられた後に落下して解きほぐされる。
【００１７】
これにより、混合物中に、例えば石、がれき等の重量物にビニールシート、又は紐状若しくはフィルム状の軽量物が強固に絡み合っている塊等が含まれている場合でも、その塊を確実に解きほぐし、軽量物を重量物から分離することができる。この結果、選別性能を向上し、且つ選別対象物の範囲をさらに拡大することができる。
【００１８】
（５）上記（１）乃至（４）のいずれかにおいて、また好ましくは、前記本体フレームは前記送風機側が低くなるように傾倒可能に支持されているものとする。
【００１９】
【発明の実施の形態】
以下、本発明の風力選別機の実施の形態を図面を参照しつつ説明する。
まず、本発明の一実施の形態を図１乃至図７を参照しつつ以下に説明する。
図１は本発明の風力選別機の一実施の形態の全体構造を一部断面で表す側面図であり、図２はこの風力選別機を図１中矢印Ａ方向から見た矢視正面図である。また、図３は図１中ＩＩＩ−ＩＩＩ断面による横断面図、図４は図１中ＩＶ−ＩＶ断面による横断面図である。これら図１乃至図４において、１は本体回転ドラム（筒状部材）、２は本体回転ドラム１を回転駆動する本体回転ドラム駆動モータ、３は本体回転ドラム１の長手方向一方側（図１中左側）に設けたブロワ（送風機）、４は本体回転ドラム１の長手方向他方側（図１中右側）に設けられ、投入される混合廃棄物を受け入れるための投入ホッパ、５は本体フレーム、６はベースフレーム、７は動力制御盤である。
【００２０】
本体フレーム５は、ピン１０を介してベースフレーム６に対して傾倒自在に接続されている。１１はその傾動動作用のシリンダ（例えば電動シリンダ、油圧シリンダ等）であり、一端側（図１中下側）がピン１２を介しベースフレーム６に設けたブラケット１３に回動自在に接続されており、他端側（図１中上側）がピン１４を介し本体フレーム５に設けたブラケット１５に回動自在に接続されている。このような構造により、シリンダ１１の伸縮動作によって本体回転ドラム１をピン１０を回動支点として傾動させ、所望の傾斜角度（＝任意の傾斜状態、但し水平状態を含む）に保持可能となっている。なお、シリンダ１１を用いず、チェーンブロック等の別途の支持手段で所望の傾斜角度に支持するようにしてもよい。
【００２１】
本体回転ドラム１は、詳細な支持構造の図示及び説明を省略するが、回転ドラム支持ローラ１６ａ，１６ｂを介して本体フレーム５に対し回転自在に支持されており、図１中右側の回転ドラム支持ローラ１６ｂに上述の回転ドラム駆動モータ（電動モータ、又は油圧モータ、あるいはエンジン直結でもよい。また可変速として回転速度を自在に調節できるようにしてもよい）２の駆動力が伝達されることにより、本体回転ドラム１はその軸心線（図示省略）まわりに回転駆動されるようになっている。
【００２２】
また、１７は本体回転ドラム１の外郭を構成し、長手方向両側（図１中左右側）に開口を有する略円筒形状のドラム本体、１８はこのドラム本体１７の長手方向一方側（図１中左側）の開口を覆うようにドラム本体１７とわずかな隙間を介在して設けたカバー部材、１９はドラム本体１７の長手方向他方側（図１中右側）の開口を覆うようにドラム本体１７とわずかな隙間を介在して設けたカバー部材である。上記カバー部材１８，１９はそれぞれ後述の送風ダクト３１、排出ダクト２７等を介して本体フレーム５に固定支持されているが、上記のようにドラム本体１７とわずかな隙間を介して配置されているため、ドラム本体１７の回転駆動を阻害しないようになっている。
【００２３】
２０はカバー部材１８の下部に設けた重量物排出口、２１はカバー部材１９の略中央部に設けた軽量物排出口、２２はカバー部材１９の外周と上記軽量物排出口２１との間の領域のうち軽量物排出口２１の側方一方側（図４中左側）に設けた廃棄物投入用の投入口であり（図４参照）、この投入口２２に前記の投入ホッパ４が接続されている。また、３５はカバー部材１９の内側（すなわち内周面）に設けた庇部材であり、投入口２２の本体回転ドラム回転方向（図３中矢印ア方向）上流側を覆う庇部３５ａと、投入口２２の径方向中心側（すなわち軽量物排出口２１側）を覆う側壁部３５ｂとから構成されている（図１参照）。この庇部材３５により、本体回転ドラム１内を流れる空気流が投入口２２を介して投入ホッパ４から機外に逆流しないように便宜が図られている。
【００２４】
また、２３ａ，２３ｂ，２３ｃはこの順序で上記軽量物排出口２１から重量物排出口２０側に間隔をおいてそれぞれ配列した流路形成ブロックであり、それぞれ略円環状形状を有し、その外周面がドラム本体１７の内周面に密着するように固定されている（図３も参照）。２４ａ，２４ｂ，２４ｃはそれぞれ、流路形成ブロック２３ａの軽量物排出口２１側、流路形成ブロック２３ａ，２３ｂの間、流路形成ブロック２３ｂ，２３ｃの間に設けた掻き上げ板であり、各掻き上げ板２４はそれぞれドラム本体１７内周面の円周方向複数箇所（本実施の形態では４箇所、但し数及びピッチは導入する混合廃棄物の最大の大きさを考慮し、廃棄物が掻き上げ板２４，２４間に挟み込まれ固まって不動とならないようにする）に所定ピッチで配列固定されている（図３参照）。このような構造によって、本体回転ドラム１内の流路には、流路形成ブロック２３ａ，２３ｂ，２３ｃの内周側には他の部分よりも流路断面積が小さな小径部２５Ａ，２５Ｂ，２５Ｃがそれぞれ形成されるとともに、小径部２５Ａと軽量物排出口２１との間、小径部２５Ａ，２５Ｂの間、小径部２５Ｂ，２５Ｃの間、小径部２５Ｃと重量物排出口２０との間に、大径部２６Ａ，２６Ｂ，２６Ｃ，２６Ｄがそれぞれ形成される。言い換えれば、これら小径部２５Ａ，２５Ｂ，２５Ｃ及び大径部２６Ａ，２６Ｂ，２６Ｃ，２６Ｄは、ドラム本体１７内に、その長手方向に沿って、軽量物排出口２１から重量物排出口２０に向けて、大径部２６Ａ、小径部２５Ａ、大径部２６Ｂ、小径部２５Ｂ、大径部２６Ｃ、小径部２５Ｃ、大径部２６Ｄの順で交互に配置されている。
【００２５】
なお、投入口２２から導入された混合廃棄物（特に重量物）はドラム本体１７内をその長手方向に図１中左側（言い換えれば重量物排出口２０側）に流れるが、このとき、各流路形成ブロック２３ａ，２３ｂ，２３ｃの投入口２２側（図１中右側）壁面２３ａＡ，２３ｂＡ，２３ｃＡは、その流れる混合廃棄物を対応する小径部２５Ａ，２５Ｂ，２５Ｃの手前で捕捉する捕捉手段として機能するようになっている。また、前述の掻き上げ板２４ａ，２４ｂ，２４ｃはそれぞれ、上記各流路形成ブロック壁面２３ａＡ，２３ｂＡ，２３ｃＡで捕捉された混合廃棄物を本体回転ドラム１の回転と共にその回転方向に掻き上げて同伴させる掻き上げ手段として機能するようになっている。また、流路形成ブロック２３ｃの重量物排出口２０側（図１中左側）壁面２３ｃＢはテーパ形状となっており、ここまで到達した重量物が重量物排出口２０まで自重ですばやく円滑に転げ落ちるように便宜が図られている。
【００２６】
２７は、一端側（図１中左側）が前記のカバー部材１９の軽量物排出口２１に挿通され、他端側が本体回転ドラム１の長手方向他方側（図１中右側）に向かって突出するように本体フレーム５に固定された支持部材２８によって固定支持された排出ダクトである。前記のブロワ３の生起する空気流に乗った混合廃棄物中の軽量物は、この排出ダクト２７を介して機外へ排出されるようになっている。
【００２７】
４０は排出ダクト２７内に設けたスクレーパ装置である。図５はこのスクレーパ装置４０の構造を表す、カバー部材１９と排出ダクト２７との接続部の側断面図であり、図６は図５中ＶＩ−ＶＩ断面による排出ダクト２７の横断面図である。
これら図５及び図６において、スクレーパ装置４０は、排出ダクト２７の内周面２７ａに沿ってその円周方向複数箇所（本実施の形態では前記の掻き上げ板２４ａと同じ円周方向箇所、すなわち４箇所）に所定のピッチ（本実施の形態では前記の掻き上げ板２４ａと同ピッチ）で配列された掻き取り部材４１を備えている。これら掻き取り部材４１は、排出ダクト２７の内周面２７ａに近接（例えば５ｍｍ〜１ｃｍ程度の間隙を有して設けられている）した掻き取り部４１ａと、この掻き取り部４１ａに略直交して設けた掻き上げ部４１ｂとからそれぞれ構成されており、例えばアングル等の断面形状が略Ｌ字型の棒状部材である（図４も参照）。このような形状の掻き取り部材４１は、一端側（図５中左側）が前記の掻き上げ板２４ａに固定されることでそれぞれが片持ち梁状に支持されており、排出ダクト２７の長手方向に内周面２７ａに沿って排出ダクト２７の開口２７ｂ近傍まで延設されている。このような構成により、本体回転ドラム１が本体回転ドラム駆動モータ２により回転駆動されると掻き上げ板２４ａを介してその回転駆動力が各掻き取り部材４１に伝えられ、これによりスクレーパ装置４０が本体回転ドラム１の回転に伴って回転駆動するようになっている。このとき、掻き取り部材４１はその回転方向（図６中イ方向）に対してＬ字型となるようにそれぞれが配列されており、排出ダクト２７の内周面２７ａを効率よく掻き取れるように便宜が図られている。なお、掻き取り部材４１は上記Ｌ字型断面形状に限られるものではなく、例えば角棒でもよいし、フラットバーでもよい。
【００２８】
ブロワ３は、本体フレーム５の傾斜方向下側端部（図１中左側端部）近傍に支持部材２９を介して固定されており、ブロワ駆動モータ３０によって駆動され、混合廃棄物中の軽量物を重量物から選別し搬送するための空気流を生起する。３１はブロワ３の出口側に接続された送風ダクト、３２はカバー部材１８の略中央部に設けられた略円形のダクトガードである。このダクトガード３２は例えば格子状となっており、送風ダクト３１からの空気流に例えば粗大な異物が混入している場合等に、その異物が本体回転ドラム１内へ流入しないようにブロックするフィルタの役目を果たしている。また、３３は送風ダクト３１に連続するようにカバー部材１８の内周面から延設された送風フードであり、ブロワ３で生起された空気流は、送風ダクト３１、送風フード３３を介して本体回転ドラム１内に供給される。３４は前記カバー部材１８の重量物排出口２０に接続された排出シュートであり、上記送風フード３３は、大径部２６Ｄのうち重量物を排出する排出シュート３４側の領域（すなわち下方側の領域）には開口部３３Ａを重量物排出口２０に臨むように設けて重量物を排出可能とする一方、排出シュート３４と反対側の領域（すなわち上方側の領域）を仕切ってそちらには空気流や重量物が流れないようにする役割を果たしている。
【００２９】
動力制御盤７は、上記ブロワ駆動モータ３０等に電源を供給する役割を果たすと共に、そのブロワ駆動モータ３０の運転・停止スイッチ、前記の本体回転ドラム１を回転駆動する本体回転ドラム駆動モータ２の起動・停止スイッチ、及び本体フレーム５の傾動動作用シリンダ１１の伸長・縮短スイッチ等の操作スイッチを有した操作盤（図示せず）を備えている。
【００３０】
以上において、排出ダクト２７は特許請求の範囲各項記載の混合物中の軽量物を排出する軽量物排出用ダクトを構成し、スクレーパ装置４０は軽量物排出用ダクト内に滞留する混合物中の中間重量物を掻き取る掻き取り部材を構成する。
【００３１】
次に、上記構成の本発明の風力選別機の一実施の形態の動作及び作用を以下に説明する。なお、以下の説明では、混合廃棄物中に含まれる重量物をＨ、中間重量物をＭ、軽量物をＬとする（図１参照）。
上記構成の風力選別機において、図１に示すようにシリンダ１１を伸長させて本体回転ドラム１の投入口２２側が高くなるように本体フレーム５を傾斜させ保持した後、本体回転ドラム駆動モータ２を駆動すると、回転ドラム支持ローラ１６ａ，１６ｂを介し本体回転ドラム１はその軸心線まわりに回転する。そしてブロワ駆動モータ３０を駆動すると、ブロワ３から空気流が生起されて送風ダクト３１、送風フード３３を介し本体回転ドラム１内に供給され、小径部２５Ｃ，２５Ｂ，２５Ａを通過して、軽量物排出口２１を介して排出ダクト２７から機外に吹き出される。
【００３２】
この状態で、例えばコンクリート塊、木材片、ガラス片、がれき類等の重量物Ｈやビニールシート、又は紐状若しくはフィルム状の物等の軽量物Ｌが混在した混合廃棄物を投入ホッパ４に投入すると、この混合廃棄物は投入口２２から本体回転ドラム１内の大径部２６Ａに導入される。
【００３３】
大径部２６Ａに導入された混合廃棄物は、自重によってドラム本体１７の内周面に沿って傾斜方向下側（本体回転ドラム１の長手方向一方側、図１中左側）に向かって転がるようにして流れていく。このとき、ブロワ３からの空気流によるエジェクタ効果により一部の軽量物Ｌはその空気流に乗って（風力によって）選別され、排出ダクト２７から機外に排出される。
【００３４】
その後、ドラム本体１７の内周面を傾斜方向下側に流れる混合廃棄物は、この流れ方向（＝空気流方向とは逆になる）最上流側の流路形成ブロック２３ａの壁面２３ａＡによって一旦捕捉され滞留する。このとき、壁面２３ａＡの手前側（図１中右側）の大径部２６Ａには周方向複数箇所に掻き上げ板２４ａが設けられていることから、上記捕捉された混合廃棄物は、掻き上げ板２４ａ，２４ａの間に滞留する。この結果、本体回転ドラム１が回転していることから、捕捉された混合廃棄物は掻き上げ板２４ａによってその回転方向に掻き上げて同伴され、高さ方向に大きく持ち上げられた後に重力で落下する。この落下時に混合廃棄物はブロワ３からの空気流内に進入して直接吹き付けられるため、混合廃棄物中の大部分の軽量物Ｌはこの空気流に乗って（風力によって）選別され、排出ダクト２７から機外に排出される。一方、混合廃棄物中の重量物Ｈは空気流には乗らず（重力によって風力に打ち勝ち）、選別されなかった残りの軽量物Ｌとともに（その意味では正確には重量物Ｈと軽量物Ｌとの混合廃棄物である）落下することにより攪拌され解きほぐされ、その一部は再度掻き上げ板２４ａによって掻き上げられ、また一部は小径部２５Ａに流入して流路形成ブロック２３ａを乗り越える。このようにして、投入された混合廃棄物中の重量物Ｈ（選別されなかった残りの軽量物Ｌを含む）は徐々に小径部２５Ａを通過して次の大径部２６Ｂに流入する。
【００３５】
以下同様に、流入した重量物Ｈは再び流路形成ブロック２３ｂの壁面２３ｂＡによって捕捉されて大径部２６Ｂに設けた掻き上げ板２４ｂ，２４ｂの間に滞留し、本体回転ドラム１の回転と共に掻き上げ板２４ｂによって持ち上げられた後に落下して解きほぐされ、流路形成ブロック２３ｂを乗り越えつつ小径部２５Ｂを通過し、次の大径部２６Ｃに流入する。さらに重量物Ｈは再び流路形成ブロック壁面２３ｃＡによって捕捉されて掻き上げ板２４ｃによって持ち上げられた後に落下して解きほぐされ、流路形成ブロック２３ｃを乗り越え小径部２５Ｃを通過し、最終段の大径部２６Ｄに流入する。以上のようにして軽量物Ｌが十分に分離された重量物Ｈは、大径部２６Ｄから重量物排出口２０、さらに排出シュート３４を介し、機外に排出される。一方、重量物Ｈから分離された軽量物Ｌは、ブロワ３によって本体回転ドラム１内を吹き通されている空気流により、重量物Ｈの流れとは逆に、傾斜を上る方向（図１中右側）へと搬送され、軽量物排出口２１を介し排出ダクト２７を経て機外へと排出される。
【００３６】
以上のような選別過程において、投入ホッパ４に投入された混合廃棄物中に、空気流による風力と重力による傾斜方向下側への落下力とが釣り合う中間重量物Ｍが存在する場合、その中間重量物Ｍは本体回転ドラム１内及び排出ダクト２７内に滞留する可能性がある。特に、排出ダクト２７は回転駆動しないため、例えば本体回転ドラム１内で滞留しようとした中間重量部Ｍが回転によって攪拌されることにより空気抵抗が増大し空気流に乗って飛ばされ、排出ダクト２７内で滞留するといったように、中間重量物Ｍが比較的滞留しやすい傾向にある。このため、例えばスクレーパ装置４０を備えていない構造の風力選別機の場合には、中間重量物Ｍの滞留が増加して排出ダクト２７内に堆積し、排出ダクト２７の有効断面積が減少して空気流の流れが阻害され、その結果、軽量物Ｌの選別効率が低下し、風力選別機の選別処理能力の低下を招く可能性がある。
【００３７】
これに対し、本実施の形態においては、本体回転ドラム駆動モータ２を駆動した時点から、排出ダクト２７の円周方向に４箇所配列したスクレーパ装置４０の掻き取り部材４１が本体回転ドラム１の回転駆動に伴って排出ダクト２７の内周面２７ａに沿ってその円周方向（図６中イ方向）に回転駆動する。このとき、各掻き取り部材４１はその掻き取り部４１ａで排出ダクト２７の内周面２７ａに付着した中間重量物Ｍをまず掻き取り（剥ぎ取り）、次にその掻き取った（剥ぎ取った）中間重量物Ｍを掻き上げ部４１ｂでその回転方向に掻き上げて同伴する。これにより、排出ダクト２７内で掻き回され攪拌された中間重量物Ｍは再び空気流に乗って排出ダクト２７の開口２７ｂから機外に排出される。このようにして、本実施の形態によれば、スクレーパ装置４０で排出ダクト２７の内周面２７ａに付着して滞留した中間重量物Ｍを掻き取って排出することができる。したがって、中間重量物Ｍが堆積して排出ダクト２７の有効断面積を減少させ空気流の流れを阻害するのを防止できるので、風力選別機の選別処理能力が低下するのを防止することができる。
【００３８】
また本実施の形態によれば、上述したように選別過程において大径部２６に滞留→掻き上げ板２４で持ち上げて落下→流路形成ブロック２３乗り越えて小径部２５通過→次の大径部２６に流入、という挙動を繰り返させることにより、例えば投入された混合廃棄物中に石、がれき等の重量物Ｈにビニールシート又は紐状若しくはフィルム状の軽量物Ｌが強固に絡み合って形成した塊等が含まれている場合であっても、その塊を確実に解きほぐし、軽量物Ｌを重量物Ｈから剥がし取り分離することができる。また、小径部２５を通過し各流路形成ブロック２３を乗り越えるとき、各ブロック２３のエッジによって軽量物Ｌを剥がしとる効果もある。さらに、小径部２５においては、大きな重量物Ｈがここを通過するときには実質的な空気流通過断面積が減少して空気流速が増大し、その速い空気流によって塊状となったものから軽量物Ｌを剥がし取り分離促進することができる。なお、この空気流の流速増大は、軽量物Ｌが傾斜方向下側（重量物排出口２０側）に落ちていくのを確実に防止できる効果もある。またさらに、大径部２６及び小径部２５の繰り返しの段差により、重量物Ｈが本体回転ドラム１内をあまりに早く流れすぎるのを防止し、滞留時間を長くして選別機能を確保する作用もある。このように、本実施の形態によれば選別性能を向上でき、さらに上記のような重量物Ｈと軽量物Ｌとが強固に絡み合った塊等を含む混合廃棄物をも選別可能とするので、選別対象物の範囲を拡大する効果をも得ることができる。
【００３９】
なお、上記本発明の一実施の形態においては、スクレーパ装置４０の掻き取り部材４１を排出ダクト２７の長手方向に延設した棒状の部材としたが、この形状に限るものではない。すなわち、例えば図７に示すように、排出ダクト２７の長手方向に内周面２７ａに沿って螺旋状に設けた掻き取り部材４１′を排出ダクト２７の円周方向に例えば４箇所（４箇所未満でもよいし、４箇所以上でもよい）配列した（すなわちスクリュー状に配列した）スクレーパ装置４０′を設けてもよい。この場合、スクレーパ装置４０′を図７中矢印ウ方向に回転駆動することにより、上記一実施の形態と同様に滞留した中間重量物Ｍを排出ダクト２７の内周面２７ａから掻き取り及び掻き上げる効果に加え、さらにその掻き取った中間重量物Ｍを排出ダクト２７の開口２７ｂに向けて押し出す効果をも得ることができる。
【００４０】
次に、本発明の風力選別機の他の実施の形態を図８を参照しつつ以下に説明する。本実施の形態は、前述の一実施の形態ではスクレーパ装置が本体回転ドラムに支持され従動的に回転駆動したのに対し、スクレーパ装置を回転駆動する駆動手段を別に設けてスクレーパ装置が自動的に回転駆動するようにしたものである。
【００４１】
図８は本実施の形態のスクレーパ装置の構造を表す、カバー部材１９と排出ダクト２７との接続部の側断面図である。
この図８において、４２は本実施の形態におけるスクレーパ装置であり、このスクレーパ装置４２は、排出ダクト２７の内周面２７ａに沿ってその円周方向複数箇所（本実施の形態では例えば４箇所）に所定のピッチ（例えば９０°）で配列され、断面形状が略Ｌ字型の棒状部材である（前述の一実施の形態における掻き取り部材４１とほぼ同様な形状である）掻き取り部材４３と、これら掻き取り部材４３が内周面に固定され、それら掻き取り部材４３を排出ダクト２７の開口２７ｂ側から片持ち梁状に支持する略円環形状の支持部材４４と、排出ダクト２７の開口２７ｂ側先端部において上記支持部材４４と排出ダクト２７との間に設けられ、支持部材４４を排出ダクト２７の円周方向に回転自在に支持する軸受け４５と、上記支持部材４４の外周面に固定された略円環形状の従動ギヤ４６とを備えている。また、４７は上記従動ギヤ４６と噛合した駆動ギヤ、４８はこの駆動ギヤ４７を駆動するモータ（例えば電動モータ、但し油圧等の他の駆動力を用いてもよい）、４９は排出ダクト２７の外周面に設けられ上記モータ４８を支持するモータ支持部材である。
なお、以上において、モータ４８は請求項３記載の掻き取り部材を軽量物排出用ダクトの円周方向に回転駆動する駆動手段を構成する。
【００４２】
上記構成の本発明の他の実施の形態によれば、モータ４８を駆動すると、駆動ギヤ４７、従動ギヤ４６、及びリング部材４４を介して掻き取り部材４３に駆動力が伝えられ、掻き取り部材４３が排出ダクト２７の内周面２７ａに沿ってその円周方向に回転駆動する。すなわち、本実施の形態によれば、前述したスクレーパ装置４０が本体回転ドラム１に支持され従動的に回転駆動する一実施の形態のような構造に対し、モータ４８を設けることでスクレーパ装置４２を本体回転ドラム１とは独立して自動的に回転駆動することができる。これにより、例えばスクレーパ装置を備えていない既存の風力選別機にスクレーパ装置４２及びモータ４８等（その他モータ支持部材４９等を含む）を増設することで、本発明と同様の中間重量物Ｍの滞留の防止による選別処理能力の低下防止効果を得ることが可能となる。なお、本実施の形態においても、前述の一実施の形態の変形例のように掻き取り部材を螺旋形状としてもよいのは言うまでもない。
【００４３】
【発明の効果】
本発明によれば、掻き取り部材で軽量物排出用ダクト内に滞留する混合物中の中間重量物を掻き取り、その滞留した中間重量物を再び空気流に乗せて排出することができる。これにより、軽量物排出用ダクト内の中間重量物の滞留を防止できるので、風力選別機の選別処理能力が低下するのを防止することができる。
【図面の簡単な説明】
【図１】本発明の風力選別機の一実施の形態の全体構造を一部断面で表す側面図である。
【図２】本発明の風力選別機の一実施の形態の全体構造を表す図１中矢印Ａ方向から見た矢視正面図である。
【図３】本発明の風力選別機の一実施の形態を構成する本体回転ドラムの内部構造を表す図１中ＩＩＩ−ＩＩＩ断面による横断面図である。
【図４】本発明の風力選別機の一実施の形態を構成する本体回転ドラムの構造を表す図１中ＩＶ−ＩＶ断面による横断面図である。
【図５】本発明の風力選別機の一実施の形態を構成するスクレーパ装置の構造を表す、カバー部材と排出ダクトとの接続部の側断面図である。
【図６】本発明の風力選別機の一実施の形態を構成する排出ダクトの内部構造を表す図５中ＶＩ−ＶＩ断面による横断面図である。
【図７】本発明の風力選別機の一実施の形態を構成するスクレーパ装置の掻き取り部材の変形例を表す、カバー部材と排出ダクトとの接続部の側断面図である。
【図８】本発明の風力選別機の他の実施の形態を構成するスクレーパ装置の構造を表す、カバー部材と排出ダクトとの接続部の側断面図である。
【符号の説明】
１          本体回転ドラム（筒状部材）
３          ブロワ（送風機）
５          本体フレーム
２７        排出ダクト（軽量物排出用ダクト）
２３ａＡ    流路形成ブロック壁面（捕捉手段）
２３ｂＡ    流路形成ブロック壁面（捕捉手段）
２３ｃＡ    流路形成ブロック壁面（捕捉手段）
２４ａ      掻き上げ板（掻き上げ手段）
２４ｂ      掻き上げ板（掻き上げ手段）
２４ｃ      掻き上げ板（掻き上げ手段）
４０        スクレーパ装置（掻き取り部材）
４０′      スクレーパ装置（掻き取り部材）
４１        掻き取り部材
４１′      掻き取り部材
４２        スクレーパ装置（掻き取り部材）
４３        掻き取り部材
４８        モータ（駆動手段）
【図１】
2004314019.tif 000003
【図２】
2004314019.tif 000004
【図３】
2004314019.tif 000005
【図４】
2004314019.tif 000006
【図５】
2004314019.tif 000007
【図６】
2004314019.tif 000008
【図７】
2004314019.tif 000009
【図８】
2004314019.tif 000010